(57)【要約】【課題】閉扉時に面一となるフラット扉の開扉または閉扉に際し、駆動装置などによらず、人力のみによって、必要とされる以上の力を加えることなく、スムーズに開扉または閉扉が行えるようにしたフラット扉の開閉機構を提供すること。【解決手段】閉扉時の引き込み位置から開扉時の引き出し位置への扉の移動を、また、開扉時の引き出し位置から閉扉時の引き込み位置への扉の移動を、扉に常に下向きに働いている重力の助けを借りて行うようにした。換言すれば、開扉する際には扉をすこし高みにのぼせるようにしてから引き出し位置に落とし込むようにし、閉扉する際には扉をすこし高みにのぼせるようにしてから引き込み位置に落とし込むようにした。【選択図】図１
2007297892.tif 000002
【特許請求の範囲】
【請求項１】
左方または右方にスライドして、開扉時には開扉される一方の扉１が他方の扉２または収納庫の前面に重なり、閉扉時には前記一方の扉１が他方の扉２または収納庫の前面と面一になる収納庫の扉の開閉機構において、前記一方の扉１の左右に、その上方にあって後方に伸び出る上位ガイドアームを付設し、該ガイドアームの端部にガイド部を設け、収納庫には扉１と平行して左右に伸びる上位ガイドレールを固設し、該上位ガイドレールに、前記左右のガイド部に対応する位置にあって収納庫の内側に向けて曲がりこむ円弧状軌道を連接し、収納庫にはさらに扉１と平行して左右に伸びるリニアレールを固設し、該リニアレールを扉１と前記上位ガイドレールとの中間において前記上位ガイドアームの下方に位置させ、前記リニアレールに滑動子を配置し、該滑動子に、前記上位ガイドアームに上端を枢着したリンクアームの下端を枢着して、前記上位ガイドアームのガイド部が前記円弧状軌道にガイドされて開扉時に前方にまたは閉扉時に後方に移動する際に、その移動に伴って、前記一方の扉１と上位ガイドアームがほぼ垂直な面内において山なりの円弧状運動を行うことのできるように各部を構成したことを特徴とする収納庫のフラット扉の開閉機構。
【請求項２】
収納庫に、扉１と平行して左右に伸び扉１が左方または右方へ移動する際にその下部をガイドする下位ガイドレールを固設したことを特徴とする請求項１に記載の収納庫のフラット扉の開閉機構。
【請求項３】
一方の扉１の左右に、その下方にあって後方に伸び出る下位ガイドアームを付設し、該ガイドアームの端部にガイド部を設け、該ガイド部に対応する位置に設置した下位ガイドレールには、収納庫の内側に向けて曲がりこむ円弧状軌道を連接し、前記下位ガイドアームのガイド部が前記円弧状軌道にガイドされて開扉時に前方にまたは閉扉時に後方に移動することのできるように構成したことを特徴とする請求項１または請求項２に記載の収納庫のフラット扉の開閉機構。
【請求項４】
収納庫の上下に、他方の扉２と平行して左右に伸びる他方の扉２用の上位ガイドレールと他方の扉２用の下位ガイドレールを固設し、前記上位ガイドレールが一方の扉１の上位ガイドアームの下方にあってリニアレールの側方または下方に位置するようにして、前記上位ガイドレールと下位ガイドレールによって他方の扉２の上部と下部の左方または右方への移動がガイドされるように構成したことを特徴とする請求項１または請求項２に記載の収納庫のフラット扉の開閉機構。
【請求項５】
収納庫の上下に、他方の扉２と平行して左右に伸びる他方の扉２用の上位ガイドレールと他方の扉２用の下位ガイドレールを固設し、前記他方の扉２用の上位ガイドレールが一方の扉１の上位ガイドアームの下方にあってリニアレールの側方または下方に位置し、前記他方の扉２用の下位ガイドレールが一方の扉１の下位ガイドアームの上方に位置するようにして、前記他方の扉２用の上位ガイドレールと下位ガイドレールによって他方の扉２の上部と下部の左方または右方への移動がガイドされるように構成したことを特徴とする請求項３に記載の収納庫のフラット扉の開閉機構。
【請求項６】
開扉時には開扉される右側の扉１が左方に移動して他方の扉２の前面に重なり閉扉時には前記右側の扉１が他方の扉２の前面と面一になるか、または、開扉時には開扉される左側の扉２が右方に移動して他方の扉１の前面に重なり閉扉時には前記左側の扉１が他方の扉１の前面と面一になる収納庫の扉の開閉機構において、前記右側の扉１の左右に付設した上位ガイドアームと下位ガイドアームを扉１の右半分に位置させ、前記左側の扉２の左右には、その上方にあって後方に伸び出る上位ガイドアームおよびその下方にあって後方に伸び出る下位ガイドアームを付設し、それらを扉２の左半分に位置させ、前記扉１と扉２の各ガイドアームの端部に前後にずらしてガイド部を設け、リニアレールの扉２用の滑動子に、前記左側の扉２の上位ガイドアームに上端を枢着したリンクアームの下端を枢着し、収納庫に固設した上位ガイドレールと下位ガイドレールをそれぞれ前後にずらし前方のガイド部用と後方のガイド部用の二条にし、各ガイドレールの両端部に、前記の各ガイド部に対応する位置にあって収納庫の内側に向けて曲がりこむ円弧状軌道を連接したことを特徴とする請求項３に記載の収納庫のフラット扉の開閉機構。
【発明の詳細な説明】
【技術分野】
【０００１】  本発明は、左方または右方にスライドして、開扉時には開扉される一方の扉が他方の扉または収納庫の前面に重なり、閉扉時には前記一方の扉が他方の扉または収納庫の前面と面一になる収納庫のフラット扉の開閉機構に関する。
【背景技術】
【０００２】  ガイドレールの後端部を内側に向けて曲がりこむ形にして、それにより開閉扉を前側にせり出させながら重なるようにして開扉するフラット扉の開閉技術は、特許文献１等により既に知られている。そして、この文献１における開閉動作は、減速機付きの油圧モータ５２と、正逆回転可能な駆動プーリ５３、従動プーリ５４、チエーン５５等から成る駆動装置によって行われている。【０００３】  従来の技術にあっては、フラット扉の開扉は、特許文献１からも見て取れるとおり次のようにして行われる。
開扉の際、開扉される一方の扉は、他方の扉または収納庫の前面に重なるように前方（手前側）に引き出されながら側方（左方または右方、すなわちその扉が他方の扉または収納庫の前面に重なっていく方向）にスライドしていく。そのような動きをさせるには、開扉される扉を前方に、扉を側方にスライドさせる前方の位置（以下「引き出し位置」という。）にまで引き出す前後方向の力と、引き続き、それと直交して扉を側方にスライドさせる左右方向の力との、方向を異ならせた二つの異質な力が必要とされる。【０００４】  このため、扉の開閉を例えば人力で行おうとすると、開扉の際には次の問題が生じる。すなわち、前方に引き出す力が弱ければ、扉を引き出し位置に引き出せず側方にスライドさせることができないから、必要とされる以上の強い力で前方に引き出しがちになる。そのため、扉を前方に引き出すという動作と引き続いて扉を側方にスライドさせるという動作とがスムーズにつながらない。【０００５】  従来の技術にあっては、フラット扉の閉扉は、開扉と同様に次のようにして行われる。
閉扉の際、閉扉される一方の扉は、他方の扉または収納庫の前面の引き出し位置において側方にスライドし、その終端に至ると、後方に、前記一方の扉が他方の扉または収納庫の前面と面一になる位置（以下「引き込み位置」という。）にまで引き込まれる。そのような動きをさせるには、閉扉される扉を側方にスライドさせる左右方向の力と、引き続き、それと直交して扉を後方に押し込む前後方向の力との、方向を異ならせた二つの異質な力が必要とされる。【０００６】  このため、人力による閉扉の際には次の問題が生じる。すなわち、側方にスライドさせる力が弱ければ、扉はスライドの終端に至らず後方へ押し込むことができないから、必要とされる以上の強い力で側方にスライドさせがちになる。そのため、扉を側方にスライドさせるという動作と引き続いて扉を後方に押し込むという動作とがスムーズにつながらない。【０００７】  フラット扉の開扉または閉扉に際し、扉が内側に向けて曲がりこむ軌道にガイドされるようにして、前述の二つの動作をスムーズにつなげることができるようにしたものとしては、特許文献１に示された技術がある。しかし、この技術においては、扉の開扉動作または閉扉動作は、減速機付きの油圧モータ５２と、正逆回転可能な駆動プーリ５３、従動プーリ５４、チエーン５５等から成る駆動装置によって行われている。そのような動力を用いた駆動装置がなければ、換言すれば高価で大掛かりな設備がなければ、前述の機能を発揮させることができない。
したがって、この特許文献１に示された技術は、家庭用などの小型の収納庫の開閉機構としては不適であり、それらに応用できるものではない。
【特許文献１】  特開２００４−１８２０５９号公報
【発明の開示】
【発明が解決しようとする課題】
【０００８】  本発明の解決課題は、フラット扉の開扉または閉扉に際し、従来は解決できていなかった問題、すなわち、高価で大掛かりな駆動装置などによることなく、人力のみによって、必要とされる以上の力を加えることなく、スムーズに開扉または閉扉が行えるようにしたフラット扉の開閉機構を提供することにある。
【課題を解決するための手段】
【０００９】  人力のみによって、必要とされる以上の力を加えることなく、スムーズにフラット扉の開扉または閉扉が行えるようにするため、本発明は、開扉時には引き込み位置から引き出し位置への扉の移動を、また、閉扉時には引き出し位置から引き込み位置への扉の移動を、人力のみでなく扉に常に下向きに働いている重力をも利用することにより行うようにした。
端的にいうと、開扉の際には扉をすこし高みにのぼせるようにしてから引き出し位置に落とし込むようにし、閉扉の際には扉をすこし高みにのぼせるようにしてから引き込み位置に落とし込むようにした。その具体的構成を次に記す。
なお、以下の説明においては、理解を便にするため、個々の手段には添付図面で用いている符号を付した。【００１０】  一方の扉１の左右に、その上方にあって後方に伸び出る上位ガイドアーム４、４を付設し、該ガイドアーム４、４の端部にガイド部６、６を設け、収納庫３には扉１と平行して左右に伸びる上位ガイドレール７を固設し、該上位ガイドレール７に、前記左右のガイド部６、６に対応する位置にあって収納庫３の内側に向けて曲がりこむ円弧状軌道９、９を連接し、収納庫３にはさらに扉１と平行して左右に伸びるリニアレール１０を固設し、該リニアレール１０を扉１と前記上位ガイドレール７との中間において前記上位ガイドアーム４、４の下方に位置させ、前記リニアレール１０に滑動子１１を配置し、該滑動子１１に、前記上位ガイドアーム４、４に上端を枢着したリンクアーム１２、１２の下端を枢着して、前記上位ガイドアーム４、４のガイド部６、６が前記円弧状軌道９、９にガイドされて開扉時に前方にまたは閉扉時に後方に移動する際に、その移動に伴って、前記一方の扉１と上位ガイドアーム４、４がほぼ垂直な面内において山なりの円弧状運動を行うことのできるように各部を構成した。【００１１】  本発明は、引き出し位置における扉１の下部の側方への移動に関して、次の構成を付加している。
収納庫３に、扉１と平行して左右に伸び扉１が左方または右方へ移動する際にその下部をガイドする下位ガイドレール８を固設した。【００１２】  本発明は、引き込み位置から引き出し位置への扉１の下部の移動に関して、さらに次の構成を付加している。
一方の扉１の左右に、その下方にあって後方に伸び出る下位ガイドアーム５、５を付設し、該ガイドアーム５、５の端部にガイド部６、６を設け、該ガイド部に対応する位置に設置した下位ガイドレール８には、収納庫３の内側に向けて曲がりこむ円弧状軌道９、９を連接し、前記下位ガイドアーム５のガイド部６、６が前記円弧状軌道９、９にガイドされて開扉時に前方にまたは閉扉時に後方に移動することのできるように構成した。【００１３】  本発明は、他方の扉２の側方への移動に関して、次の構成を付加している。
収納庫３の上下に、他方の扉２と平行して左右に伸びる他方の扉２用の上位ガイドレール２４と他方の扉２用の下位ガイドレール２５を固設し、前記他方の扉２用の上位ガイドレール２４が一方の扉１の上位ガイドアーム４、４の下方にあってリニアレール１０の側方または下方に位置するようにして、前記他方の扉２用の上位ガイドレール２４と下位ガイドレール２５によって他方の扉２の上部と下部の左方または右方への移動がガイドされるように構成した。【００１４】  本発明は、下位ガイドアーム５、５をも有する扉１に対する他方の扉２の、側方への移動に関して、次の構成を付加している。
収納庫３の上下に、他方の扉２と平行して左右に伸びる他方の扉２用の上位ガイドレール２４と下位ガイドレール２５を固設し、前記他方の扉２用の上位ガイドレール２４が一方の扉１の上位ガイドアーム４、４の下方にあってリニアレール１０の側方または下方に位置し、前記他方の扉２用の下位ガイドレール２５が一方の扉１の下位ガイドアーム５、５の上方に位置するようにして、前記他方の扉２用の上位ガイドレール２４と下位ガイドレール２５によって他方の扉２の上部と下部の左方または右方への移動がガイドされるように構成した。【００１５】  本発明はまた、右側の扉１も左側の扉２も、各自が独立して上述したと同様の機能を発揮できるようにするため、次の構成を付加している。
前記右側の扉１の左右に付設した上位ガイドアーム４、４と下位ガイドアーム５、５を扉１の右半分に位置させ、前記左側の扉２の左右には、その上方にあって後方に伸び出る上位ガイドアーム３４、３４およびその下方にあって後方に伸び出る下位ガイドアーム３５、３５を付設し、それらを扉２の左半分に位置させ、前記扉１と扉２の各ガイドアームの端部に前後にずらせてガイド部６を設け、リニアレールの扉２用の滑動子１１に、前記左側の扉２の上位ガイドアーム３４に上端を枢着したリンクアーム１２の下端を枢着し、収納庫３に固設した上位ガイドレール７と下位ガイドレール８をそれぞれ前後にずらした前方のガイド部用と後方のガイド部用の二条にし、各ガイドレールの両端部に、前記の各ガイド部に対応する位置にあって収納庫３の内側に向けて曲がりこむ円弧状軌道９、３９を連接した。
【発明の効果】
【００１６】  本発明は、請求項１に示すとおり、一方の扉１の上位ガイドアーム４、４のガイド部６、６が円弧状軌道９、９にガイドされて開扉時に前方にまたは閉扉時に後方に移動する際に、その移動に伴って、扉１と上位ガイドアーム４、４がほぼ垂直な面内において山なりの円弧状運動を行うことのできるように構成されている、ことを要件としている。このため、扉１の開閉時には次のことが行われる。【００１７】  開扉の際に、開扉される扉１に対して開扉方向（図１（ａ）、図３（ａ）、図６（ａ）、図８（ａ）、図１０（ａ）に示す矢印Ａの方向）に力を加えると、扉１は、円弧状軌道９、９の始端から終端にかけ、後方の引き込み位置から前方の引き出し位置に移動する。すなわち、山の麓の始端から動き始め、移動するにつれて段々と高くなり山の頂きに至り、それから引き続き段々と低くなり、山の麓の終端に至る。この動きは、側面視では矢印Ｃ平面視では矢印Ｂで示される（図１（ａ）その他を参照）。換言すれば、扉１には、山の麓から頂きに至る間に位置のエネルギーが蓄えられ、山の頂きから麓の終端に至る間にその位置のエネルギーが放出される。それ故、その放出によって扉１は、引き出し位置に滑らかに落とし込まれる。
扉１が落とし込まれるこの動きは、（人力ではなく）扉１の自重によって行われるものであるから、開扉方向の力は、山を越すときまで加えられればよく、後は手を離したとしても扉１は所定の引き出し位置に到達させることができ、その勢いは横方向に扉１を押す力に加算され、引き続いて扉１を側方へ移動させるという動作にスムーズにつなげられる。【００１８】  閉扉の際に、閉扉される扉１に対して閉扉方向（前記矢印Ａと反対の方向）に力を加えると、扉１は、上位ガイドレール７から円弧軌道９、９に移り、前方の引き出し位置から後方の引き込み位置に移動する。その移動の間に行われる山なりの円弧運動により、扉１には、山の麓（前記した終端）から頂きに至る間に位置のエネルギーが蓄えられ、山の頂きから麓（前記した始端）の終端に至る間にその位置のエネルギーが放出される。それ故、その放出によって扉１は、引き込み位置に滑らかに落とし込まれる。
扉１が落とし込まれるこの動きは、（人力ではなく）扉１の自重によって行われるものであるから、閉扉方向の力は、山を越すときまで加えられればよく、後は手を離したとしても扉１は所定の引き出し位置にスムーズに到達する。そして、扉１を後方に押し込むという動作を不要なものとすることができる。【００１９】  なお、叙上の扉１の開閉には、他方の扉２または収納庫３は関係しない。
また、この発明は、扉１の開閉時に扉１の下部に関する構成を要件としていないが、その構成を必要としていない例えば、体育館の間仕切り等において有利に実施することができる。
その場合、扉１は、その上端だけを横桁等に係止し、垂直に吊り下げられた状態で自由に移動できるように、扉１全体のバランスを考慮した設計のされていることが望ましいのは言うまでもない。【００２０】  本発明は、請求項２に示すとおり、収納庫３に扉１と平行して左右に伸びて扉１の下部をガイドする下位ガイドレール８を固設した、ことを要件としている。この構成を有するため、扉１は、その開閉時に前方の引き出し位置を保ちながら左右に移動するが、その間に、扉１の下部が下位ガイドレール８によってガイドされ、上部と同様に妄りに揺動したりせずに安定して左右に移動するようになる。
なお、他方の扉２または収納庫３は、叙上の扉１の開閉には関係しない。【００２１】  本発明は、請求項３に示すとおり、下位ガイドレール８に円弧状軌道９、９を連接した、ことを要件としている。この構成を有するため、扉１の、引き込み位置から引き出し位置への前方への移動、または引き出し位置から引き込み位置への後方への移動に際して、扉１の下部が下位ガイドレール８および円弧状軌道９、９によってガイドされ、上部と同様に妄りに揺動したりせずに、引き出し位置または引き込み位置にぴったりとおさまるようになる。
なお、他方の扉２または収納庫３は、叙上の扉１の開閉には関係しない。【００２２】  本発明は、請求項４に示すとおり、他方の扉２も他方の扉用の上位ガイドレール２４と下位ガイドレール２５とによってガイドされる構成を要件としている。この構成を有するため、他方の扉２は、一方の扉１の移動とは関係なく自由に左右に移動し収納庫３を開閉することができる。【００２３】  本発明は、請求項５に示すとおり、他方の扉用の上位ガイドレール２４と下位ガイドレール２５の位置を、一方の扉１の上位ガイドアーム４と下位ガイドアーム５に干渉することがないように定めた構成を要件としている。この構成を有するため、他方の扉２は、上位ガイドアーム４と下位ガイドアーム５を有する扉１の移動とは関係なく自由に左右に移動し収納庫３を開閉することができる。【００２４】  本発明は、請求項６に示すとおり、右側の扉１も左側の扉２も、各自が独立して同様の機能を発揮できる構成を要件としている。
この構成を有するため、例えば、扉１と扉２とが面一の状態にあるとき、右側の扉１を左方に押すと、扉１は扉２の前面に重なり扉１の側の収納庫３が開口される。その際、扉１のガイドアーム４、５はその右半分に位置しているから左半分に位置している扉２のガイドアーム４、５と干渉することはない。
同様にして、扉１と扉２とが面一の状態にあるとき、左側の扉２を右方に押すと、扉２は扉１の前面に重なり扉２の側の収納庫３が開口される。その際、扉２のガイドアーム４、５はその左半分に位置しているから、右半分に位置している扉１のガイドアーム４、５と干渉することはない。
すなわち、扉１または扉２は、いずれも他方の扉が引き込み位置にあるときに、交互に自由に左右に移動し収納庫３を開閉することができる。
【発明を実施するための最良の形態】
【００２５】  一方の扉１の左右に、その上方にあって後方に伸び出る上位ガイドアーム４、４を付設し、該ガイドアーム４、４の端部にガイド部６、６を設け、収納庫３には扉１と平行して左右に伸びる上位ガイドレール７を固設し、該上位ガイドレール７に、前記左右のガイド部６、６に対応する位置にあって収納庫３の内側に向けて曲がりこむ円弧状軌道９、９を連接し、収納庫３にはさらに扉１と平行して左右に伸びるリニアレール１０を固設し、該リニアレール１０を扉１と前記上位ガイドレール７との中間において前記上位ガイドアーム４、４の下方に位置させ、前記リニアレール１０に滑動子１１を配置し、該滑動子１１に、前記上位ガイドアーム４、４に上端を枢着したリンクアーム１２、１２の下端を枢着して、前記上位ガイドアーム４、４のガイド部６、６が前記円弧状軌道９、９にガイドされて開扉時に前方にまたは閉扉時に後方に移動する際に、その移動に伴って、前記一方の扉１と上位ガイドアーム４、４がほぼ垂直な面内において山なりの円弧状運動を行うことのできるように構成する。
【実施例】
【００２６】  添付図面を参照しながら、本発明の実施例について説明する。
図１および図２は、右側の扉１を左側の扉２の前面に重ねて開き、または、扉２を扉１の前面に重ねて開くことができるようにした一例である。これらは、請求項１、請求項６等の発明の説明において参照される。
図１（ａ）は、開扉時における扉１と収納庫３の上部の構成を主に示した斜視図で、同図（ｂ）は、（ａ）のロ−ロ断面図である。
図２（ａ）は、開扉時における扉１と収納庫３の下部の構成を主に示した斜視図で、同図（ｂ）は、（ａ）のニ−ニ断面図である。【００２７】  図３および図４は、右側の扉１と左側の扉２が面一になる閉扉時の状態を示した一例である。これらは、請求項１、請求項３、請求項６等の発明の説明において参照される。
図３（ａ）は、閉扉時における扉１および扉２と収納庫３の上部の構成を主に示した斜視図で、同図（ｂ）は、（ａ）のイ−イ断面図である。
図４（ａ）は、閉扉時における扉１および扉２と収納庫３の下部の構成を主に示した斜視図で、同図（ｂ）は、（ａ）のハ−ハ断面図である。【００２８】  図５は、扉１が開扉時に山なりの円弧状運動を行う状態を示した側面図であり、これらは、特に請求項１の発明の説明において参照される。
なお、本発明にいう「円弧」とは、正規の円周の一部分のみに限られるものでなく、本発明の技術的思想にしたがってスムーズな開扉または閉扉が行えるような形状を意味するものである。
図５（ａ）は扉１が山の麓の始端（引き込み位置）にあるときの状態、（ｂ）は扉１が山の頂きに達したときの状態、（ｃ）は扉１が山の麓の終端（引き出し位置）に至ったときの状態を示し、（ｄ）は前述の円弧状運動の結果、山の麓から頂きに至る間にＨの高低差が生じ、位置のエネルギーが蓄えられてその後に放出される状態を示す。【００２９】  図６および図７は、右側の扉１の下部が下位ガイドレール８によって矢印Ａ方向にガイドされる状態を示した一例である。これらは、請求項１、請求項２等の発明の説明において参照される。
図６（ａ）は、開扉時における扉１と収納庫３の上部の構成を主に示した斜視図で、同図（ｂ）は、（ａ）のホ−ホ断面図である。
図７（ａ）は、開扉時における扉１と収納庫３の下部の構成を主に示した斜視図で、同図（ｂ）は、（ａ）のヘ−ヘ断面図である。【００３０】  図８および図９は、左側の扉２の上部が上位ガイドレール２４によってガイドされ、下部が下位ガイドレール２５によってガイドされる状態を示した一例である。これらは請求項４、請求項５等の発明の説明において参照される。
図８（ａ）は、扉１の開扉時における扉２と収納庫３の上部の構成を主に示した斜視図で、同図（ｂ）は、（ａ）のト−ト断面図である。
図９（ａ）は、扉１の開扉時における扉２と収納庫３の下部の構成を主に示した斜視図で、同図（ｂ）は、（ａ）のチ−チ断面図である。
図１０は、体育館の間仕切り等のように、下部をガイドする必要のないときの扉１の下部の構成を主に示した斜視図である。【００３１】  請求項１に記載された発明の実施例について説明する。
上位ガイドアーム４、４は、図１、図３、図６、図８に示すように、ドアステー４０を介して扉１の左右に取り付けられ、その端部にはガイド部６、６が設けられる。扉１を垂直状態を保ったまま移動させる必要があるときは、図示を省略したが、扉１に対し上位ガイドアームを若干回動できるように取り付ける。ガイド部６、６としては図示したローラー、球等の回転部材のみならず、非回転部材で代用することもできる。
上位ガイドレール７は、図１、図３、図６、図８に示すように、収納庫３に固設され、それにコーナーピース４１、すなわち収納庫３の内側に向けて曲がりこむ円弧状軌道９、９が連接される。【００３２】  リニアレール１０は、図１、図３、図６、図８等に示すように、収納庫３に固設されるが、扉１と前記上位ガイドレール７との中間において前記上位ガイドアーム４、４の下方に位置させることが肝要である。、リニアレール１０には滑動子１１を配置し、滑動子１１には必要に応じリニアローラ４３、４３を付けそれがリニアレール１０上をスムーズに滑動できるようにする。なお、このリニアローラ４３、４３には、非回転部材を用いることもできる。
滑動子１１と前記上位ガイドアーム４、４はリンクアーム１２、１２で連結される。例えば図に示すように、リンクアーム１２、１２の上端を、上位ガイドアーム４、４に取り付けたリンクホルダー４５、４５のリンクピン４４、４４により回動自在に枢着し、リンクアーム１２、１２の下端を、滑動子１１に取り付けたリンクピン４２、４２により回動自在に枢着する。【００３３】  リンクアーム１２、１２の長さは、扉１が開扉時に前方にまたは閉扉時に後方に移動する際にほぼ垂直な面内において山なりの円弧状運動を行うことのできるように、換言すれば、扉１が図５（ｂ）の位置に達したとき引き込み位置や引き出し位置よりも少し高くなり、図５（ｄ）に示すＨの高低差を生じさせることができる長さにしなければならない。
Ｈが大であれば、引き出し位置、引き込み位置に扉を落とし込む力が大になるが、開扉または閉扉方向に加える力もそれだけ加算されることになる。したがって、設計に当たっては、扉の重量などを考慮してその長さを定める。
なお、扉１と上位ガイドアーム４、４は、前方にまたは後方に移動する際にほぼ垂直な面内において山なりの円弧状運動を行うのであるから、円弧状軌道９、９とそれに係合するガイド部６、６との間には、前記の運動が許容できる設計（例えば、ガイド部６、６が少し上昇しても円弧状軌道から外れないようになっている設計）にしなければならないのは勿論である。【００３４】  請求項２に記載された発明の実施例について説明する。
下位ガイドレール８は、図７に特に明示されているように、収納庫３に固設される。
その固設位置は、図示したとおり、上位ガイドレール（直線部分）に対応し、かつ、下位ガイドアーム５の端部のガイド部６に対応する位置であってもよいが、下位ガイドアーム５を付設しない扉１に対しては、図示したものと異なり、扉１の真下に定めてもよいことは勿論である。要は、扉１の下端が、その開閉時に前方の引き出し位置を保ちながら上部と同様に、妄りに揺動することなく左右に移動できるようになっていればよい。【００３５】  請求項３に記載された発明の実施例について説明する。
下位ガイドアーム５、５は、図２、図４に特に明示されているように、扉１の下部に固設され、その端部にはガイド部６、６が設けられる。
下位ガイドレール８には、コーナーピース４６、すなわち前記左右のガイド部６、６に対応する位置にあって収納庫３の内側に向けて曲がりこむ円弧状軌道９を連接する。
下位ガイドアーム５、５とガイド部６、６と下位ガイドレール８と円弧状軌道９の構成は、上位ガイドアーム４、４とガイド部６、６と上位ガイドレール７と円弧状軌道９、９の構成と同様なものとすることができる。【００３６】  請求項４に記載された発明の実施例について説明する。
他方の扉２用の上位ガイドレール２４と下位ガイドレール２５は、図８、図９に示すように、扉２に平行して上下に固設される。
その固設位置は、前記上位ガイドレール２４が一方の扉１の上位ガイドアーム４、４の下方にあってリニアレール１０の側方または下方に位置するように選ばれなければならない。その様にしないと、他方の扉２を開扉するとき、その上部が扉１の上位ガイドアーム４、４やリニアレール１０と衝突して側方への移動ができず扉２の開扉できなくなるからである。【００３７】  請求項５に記載された発明の実施例について説明する。
他方の扉２用の上位ガイドレール２４と下位ガイドレール２５は、図８、図９に示すように、収納庫３の上下に固設される。
その固設位置は、上位ガイドレール２４が一方の扉１の上位ガイドアーム４、４の下方にあってリニアレール１０の側方または下方に位置するように、また、下位ガイドレール２５が一方の扉１の下位ガイドアーム５、５の上方に位置するように選ばれなければならない。その様にしないと、他方の扉２を開扉するとき、その上部が扉１の上位ガイドアーム４、４やリニアレール１０と衝突し、その下部が扉１の下位ガイドアーム５、５と衝突して、側方への移動ができず扉２の開扉できなくなるからである。【００３８】  請求項６に記載された発明の実施例について説明する。
この発明のポイントは、図１、図２に示すように、右方の扉１の上位ガイドアーム４、４と下位ガイドアーム５、５を扉１の右半分に位置させ、左方の扉２の上位ガイドアーム３４、３４と下位ガイドアーム３５、３５を扉２の左半分に位置させ、上位ガイドレール７と下位ガイドレール８をそれぞれ前後にずらし二条としたところにある。
そして、各ガイドアームの端部にはガイド部６を設け、各ガイドレールの両端部には、コーナーピース４６すなわち収納庫３の内側に向けて曲がりこむ円弧状軌道９を連接し、ガイド部６がスムーズにガイドされるようにする。
なお、前記上位ガイドレール７と下位ガイドレール８は、図示を省略したが、扉１用のものと扉２用のものとに分離して設けてもよいことは勿論である。
【図面の簡単な説明】
【００３９】
【図１】（ａ）は、開扉時における右側の扉１と収納庫３の上部の構成を主に示した斜視図で、（ｂ）は、（ａ）のロ−ロ断面図である。
【図２】（ａ）は、開扉時における扉１と収納庫３の下部の構成を主に示した斜視図で、（ｂ）は、（ａ）のニ−ニ断面図である。
【図３】（ａ）は、閉扉時における扉１および扉２と収納庫３の上部の構成を主に示した斜視図で、（ｂ）は、（ａ）のイ−イ断面図である。
【図４】（ａ）は、閉扉時における扉１および扉２と収納庫３の下部の構成を主に示した斜視図で、（ｂ）は、（ａ）のハ−ハ断面図である。
【図５】扉１が開扉時に山なりの円弧状運動を行う状態を示した側面図で、（ａ）は扉１が山の麓の始端（引き込み位置）にあるときの状態、（ｂ）は扉１が山の頂きに達したときの状態、（ｃ）は扉１が山の麓の終端（引き出し位置）に至ったときの状態を示し、（ｄ）は前述の円弧状運動によりＨの高低差が生じる状態を示す。
【図６】（ａ）は、開扉時における扉１と収納庫３の上部の構成を主に示した斜視図で、（ｂ）は、（ａ）のホ−ホ断面図である。
【図７】（ａ）は、開扉時における扉１と収納庫３の下部の構成を主に示した斜視図で、（ｂ）は、（ａ）のヘ−ヘ断面図である。
【図８】（ａ）は、開扉時における左側の扉２と収納庫３の上部の構成を主に示した斜視図で、（ｂ）は、（ａ）のト−ト断面図である。
【図９】（ａ）は、開扉時における左側の扉２と収納庫３の下部の構成を主に示した斜視図で、（ｂ）は、（ａ）のチ−チ断面図である。
【図１０】下部をガイドする必要のないときの扉１の下部の構成を主に示した斜視図である。
【符号の説明】
【００４０】３          収納庫
４、３４    上位ガイドアーム
５、３５    下位ガイドアーム
６          ガイド部
７          上位ガイドレール
８          下位ガイドレール
９、３９    円弧状軌道
１０        リニアレール
１１        滑動子
１２        リンクアーム
【図１】
2007297892.tif 000003
【図２】
2007297892.tif 000004
【図３】
2007297892.tif 000005
【図４】
2007297892.tif 000006
【図５】
2007297892.tif 000007
【図６】
2007297892.tif 000008
【図７】
2007297892.tif 000009
【図８】
2007297892.tif 000010
【図９】
2007297892.tif 000011
【図１０】
2007297892.tif 000012